(57)【特許請求の範囲】
【請求項１】
巻尺テープと、前記巻尺テープが巻装されるドラムと、前記ドラムを回転可能に支持するフレームとを備えた巻尺であって、
前記ドラムには、前記ドラムの幅方向両端部において径方向に沿って突設固定され、前記ドラムに巻装された前記巻尺テープの幅方向両端部を挟持して前記ドラムに巻装された前記巻尺テープと共に回転しうるガイド部が設けられており、
前記ガイド部は、前記巻尺テープの巻径寸法よりも大きい径寸法を有する略円盤状に形成された一対のガイド板部を有し、前記ドラムに巻装された前記巻尺テープを径方向内方へ収納しうるように形成されており、
前記一対のガイド板部の周縁部には、前記一対のガイド板部の間の空隙部を被覆しうる被覆部材が設けられていることを特徴とする巻尺。
【請求項２】
前記一対のガイド板部は、前記巻尺テープの幅寸法と略同一の間隔をおいて配置され、前記巻尺テープを幅方向に沿って挟持しうることを特徴とする請求項１記載の巻尺。
【請求項３】
前記フレームは、側面略方形状に形成され、前記ドラムを軸方向両端部において支持すると共に、前記ガイド部の幅方向外方に配設される一対の板状部材からなることを特徴とする請求項１記載の巻尺。
【請求項４】
前記被覆部材は、側方略円弧状に形成されると共に、前記一対のガイド板部の間の空隙部を周方向に沿って閉塞しうるように構成されていることを特徴とする請求項１記載の巻尺。
【発明の詳細な説明】
【技術分野】
【０００１】
本発明は、巻尺に係り、特に巻尺テープの引き出し及び巻き取りがスムーズにできる巻尺に関するものである。
【背景技術】
【０００２】
主に測量の分野において、長さ計測目盛が表示されたテープがフレームに巻き込んで収納されている巻尺が利用されている。図８に示すように、巻尺１００は、一般的に、テープ状物差しの巻尺テープ１０１と、巻尺テープ１０１が巻装されたドラム１０２と、ドラム１０２が回転可能に保持されるフレーム１０３により構成されており、巻尺テープ１０１をフレーム１０３外方に引き出して使用し、ドラム１０２を回転させて巻尺テープ１０１をドラム１０２に巻き取って収納することができる。
【０００３】
このような巻尺として、例えば、特許文献１には、巻尺テープが捩れた状態でフレーム内に巻き込まれることを抑制するという観点から、フレームの出入口を規定し、互いの間に巻尺テープを挿通可能な第１および第２の支持部材と、前記第１および第２の支持部材よりも上流側に配置され、互いの間に前記巻尺テープを挿通可能な第１及び第２の規制部材とを含み、前記第１の支持部材および第１の規制部材の各々は一方表面に当接可能に配置されており、前記第２の支持部材および第２の規制部材の各々は他方表面に当接可能に配置されている巻尺が開示されている。
【０００４】
また、特許文献２には、測定テープの繰出時における巻取りドラム及び尺束の回転慣性を抑えるという観点から、本体フレームと巻取ドラムとの間に、開環端部に係合突子を有する開環リング部材が巻取ドラムと同心的に介在され、巻取ドラムにはその回動時に前記開環リング部材の係合突子に相互に係合する係合突起が形成され、本体フレームには、巻取ドラムが測定テープの繰出方向に回転する際は、前記開環リング部材の係合突子と係合し、巻取ドラムが測定テープの巻取方向に回転する際は、該係合突子が周面に弾性摺接し且つ乗り越えるよう形成された複数の爪部を備えたラチェット部材が固設されていることを特徴とする巻尺が開示されている。
【０００５】
しかしながら、特許文献１及び２をはじめとした従来の巻尺にあっては、正面と裏面のフレーム１０３、１０３で単純に巻尺テープ１０１を挟持するように構成されていたため、回転する巻尺テープ１０１とフレーム１０３、１０３との間に摩擦が生じ、巻き乱れると巻き取りが重くなるばかりか、巻尺テープ１０１及びフレーム１０３、１０３の両方に負荷がかかり、破損する場合もあるといった不具合があった。
【特許文献１】特開２０１４−１１９４２０号公報
【特許文献２】特開２００７−６４７７７号公報
【発明の開示】
【発明が解決しようとする課題】
【０００６】
本発明は、以上のような従来の不具合を解決するためのものであって、その課題は、巻尺テープとフレームとの摩擦を防止し、巻尺テープのスムーズな引き出し及び巻き取りができる巻尺を提供することにある。
【課題を解決するための手段】
【０００７】
前記課題を解決するために、請求項１に記載の発明にあっては、巻尺テープと、前記巻尺テープが巻装されるドラムと、前記ドラムを回転可能に支持するフレームとを備えた巻尺であって、前記ドラムには、前記ドラムの幅方向両端部において径方向に沿って突設固定され、前記ドラムに巻装された前記巻尺テープの幅方向両端部を挟持して前記ドラムに巻装された前記巻尺テープと共に回転しうるガイド部が設けられており、前記ガイド部は、前記巻尺テープの巻径寸法よりも大きい径寸法を有する略円盤状に形成された一対のガイド板部を有し、前記ドラムに巻装された前記巻尺テープを径方向内方へ収納しうるように形成されており、前記一対のガイド板部の周縁部には、前記一対のガイド板部の間の空隙部を被覆しうる被覆部材が設けられていることを特徴とする。
【０００８】
従って、前記巻尺テープが前記ガイド部によって挟持され、前記ドラムを回転させた場合には、前記巻尺テープが前記ガイド部と一体となって回転する。
【０００９】
また、前記ドラムに巻装された前記巻尺テープは前記一対のガイド板部の径方向内方へ収納される。
【００１０】
さらに、前記一対のガイド板部の間の空隙部は、前記被覆部材によって被覆される。
【００１１】
請求項２に記載の発明にあっては、前記一対のガイド板部は、前記巻尺テープの幅寸法と略同一の間隔をおいて配置され、前記巻尺テープを幅方向に沿って挟持しうることを特徴とする。
【００１２】
従って、前記ドラムに巻装された前記巻尺テープは、前記一対のガイド板部によって幅方向に沿って挟持される。
【００１３】
請求項３に記載の発明にあっては、前記フレームは、側面略方形状に形成され、前記ドラムを軸方向両端部において支持すると共に、前記ガイド部の幅方向外方に配設される一対の板状部材からなることを特徴とする。
【００１４】
従って、前記ドラムは前記フレームを構成する前記一対の板状部材によって回転可能に支持される。
【００１５】
請求項４に記載の発明にあっては、前記被覆部材は、側方略円弧状に形成されると共に、前記一対のガイド板部の間の空隙部を周方向に沿って閉塞しうるように構成されていることを特徴とする。
【００１６】
従って、前記一対のガイド板部の間の空隙部は、前記被覆部材によって周方向に沿って閉塞される。
【発明の効果】
【００１７】
請求項１及び３に記載の巻尺にあっては、前記巻尺テープが前記ガイド部によって挟持され、前記ドラムを回転させた場合には、前記巻尺テープが前記ガイド部と一体となって回転するので、巻尺テープの引き出し及び巻き取りのためにドラムを回転させた場合であっても、巻尺テープとフレームとの間に摩擦が生じることがない。
従って、巻尺テープ及びフレームの両方に負荷がかかり、破損するといった事態を防止することができる。その結果、巻尺テープのスムーズな引き出し及び巻き取りが可能な巻尺を提供することができる。
さらに、前記ドラムに巻装された前記巻尺テープは、前記巻尺テープの幅寸法と略同一の間隔をおいて配置された前記一対のガイド板部の径方向内方へ収納される。
従って、巻尺テープをドラムに巻き取る際には、前記ガイド部によって前記巻尺テープがガイドされるので、巻尺テープが巻き乱れるといった事態を防止することができる。
【００１８】
請求項１〜４に記載の巻尺にあっては、前記一対のガイド板部の間の空隙部は、前記被覆部材によって被覆されるので、前記巻尺テープが前記ガイド部から外方へほどき出るという事態を防止することができる。
従って、従来のドラムに巻装された巻尺テープが露出している巻尺にあっては、巻尺テープをほどき出す際にドラムが惰性で回転することによって、巻尺テープが勝手にほどき出てしまい、その結果、次に巻き取る際に巻尺テープがからまって煩わしさに耐えないという不具合があったのに対し、請求項１〜４に記載の発明にあっては、前記不具合を解消することができる。
特に、請求項４に記載の巻尺にあっては、前記一対のガイド板部の間の空隙部は、前記被覆部材によって周方向に沿って閉塞されるので、巻尺テープが前記ガイド部から周方向外方へほどき出てしまうといった事態を効率よく防止することができる。
【図面の簡単な説明】
【００１９】
【図１】図１は、本発明に係る巻尺の一実施の形態を示す斜視図である。
【図２】図２は、本発明に係る巻尺の一実施の形態を示す分解斜視図である。
【図３】図３は、本発明に係る巻尺の一実施の形態において、他方のガイド板部を外した状態でのドラムの正面図である。
【図４】図４は、本発明に係る巻尺の一実施の形態において、ドラムの分解斜視図である。
【図５】図５は、本発明に係る巻尺の一実施の形態において、巻取ハンドル部とドラムとが係合する様子を表す斜視図である。
【図６】図６は、本発明に係る巻尺の一実施の形態を示す正面図である。
【図７】図７は、本発明に係る巻尺の一実施の形態を示す背面図である。
【図８】図８は、従来の巻尺を示す分解斜視図である。
【発明を実施するための最良の形態】
【００２０】
以下、添付図面に示す実施の形態に基づき、本発明を詳細に説明する。
図１〜図６に示すように、本発明の一実施の形態に係る巻尺１０は、巻尺テープ１１と、巻尺テープ１１が巻装されるドラム１２と、ドラム１２を回転可能に支持するフレーム１３と、ドラム１２に取り付けられ、ドラム１２を回転操作しうる巻取ハンドル部１４と、フレーム１３の上辺部１５に設けられ、巻尺１０を把持しうる把持部１６とを備えている。
また、図２〜図４に示すように、本実施の形態に係るドラム１２には、ドラム１２の幅方向両端部１７、１７において径方向に沿って突設固定され、ドラム１２に巻装された巻尺テープ１１の幅方向両端部１８、１８を挟持してドラム１２に巻装された巻尺テープ１１と共に回転しうるガイド部１９、１９が設けられている。
【００２１】
また、図１〜図６に示すように、本実施の形態に係るガイド部１９、１９は、巻尺テープ１１の巻径寸法Ｌ１よりも大きい径寸法Ｌ２を有する略円盤状に形成された一対のガイド板部２０ａ、２０ｂを有し、ドラム１２に巻装された巻尺テープ１１を径方向内方へ収納しうるように形成されている。
また、図４に示すように、一対のガイド板部２０ａ、２０ｂは、巻尺テープ１１の幅寸法Ｌ３と略同一の間隔をおいて配置され、巻尺テープ１１を幅方向に沿って挟持しうるように構成されている。
【００２２】
また、図１及び図２に示すように、本実施の形態に係る一対のガイド板部２０ａ、２０ｂの周縁部２１、２１には、一対のガイド板部２０ａ、２０ｂの間の空隙部２２を被覆しうる被覆部材２３、２３が設けられている。
特に、図１及び図２に示すように、本実施の形態に係る被覆部材２３、２３は、側方略円弧状に形成されると共に、一対のガイド板部２０ａ、２０ｂの間の空隙部２２を周方向に沿って閉塞しうるように構成されている。
【００２３】
また、図１、図２及び図６に示すように、本実施の形態に係るフレーム１３は、側面略方形状に形成され、ドラム１２を軸方向両端部２４、２４において支持すると共に、ガイド部１９の幅方向外方に配設される一対の板状部材２５ａ、２５ｂから構成されている。
【００２４】
本実施の形態に係る巻尺１０の構成について、添付図面を用いてより詳細に説明する。
図３及び図４に示すように、本実施の形態に係るドラム１２は、短円筒状に形成され、巻尺テープ１１が巻装されるテープ巻装部２６と、テープ巻装部２６の幅方向一端部２７側を被覆しうるように平面略円形状に形成されたドラム本体板部２８と、ドラム本体板部２８の中央部２９に設けられた円筒形状の軸支持部３２と、軸支持部３２に周設された平面略長方形状のハンドル固定孔部３０と、テープ巻装部２６及びハンドル固定孔部３０を接合するリブ部３１とを有している。
また、図３に示すように、テープ巻装部２６には、周方向内方へ凹設された基端部収納部９１が設けられ、基端部収納部９１にはドラム本体板部２８から厚さ方向に突設された棒状のテープ固定部５６が設けられている。
また、図３及び図４に示すように、ドラム本体板部２８には、中央部２９から基端部収納部９１方向に所定寸法離間して、厚さ方向において貫通した貫通口９０が設けられている。
【００２５】
また、図３に示すように、リブ部３１は、ハンドル固定孔部３０の長辺部の両端部３３、３３から、夫々、延設され、ハンドル固定孔部３０及びテープ巻装部２６を接合しうる補強リブ３４、３４により構成されている。また、図３及び図４に示すように、ドラム本体板部２８には、テープ巻装部２６から内方へ所定間隔離間した同心円上に等しい間隔で６箇所、円柱形状に形成されたネジスペーサー３５、３５、３５、３５、３５、３５が設けられている。
図４に示すように、テープ巻装部２６、ハンドル固定孔部３０及びリブ部３１、ネジスペーサー３５の高さ寸法は、巻尺テープ１１の幅寸法Ｌ３と略同一である。
【００２６】
また、図２〜図４に示すように、本実施の形態に係る一対のガイド板部２０ａ、２０ｂには、夫々、中央部において、厚さ方向に貫通する挿通口３７が設けられている。また、図４に示すように、一対のガイド板部２０ａ、２０ｂの挿通口３７の周方向外方には、夫々、ネジスペーサー３５と同一同心円上に等しい間隔で３箇所のネジ孔３８、３８、３８が形成されている。
また、図２〜図４に示すように、本実施の形態に係る一対のガイド板部２０ａ、２０ｂにおいて、内周部３９には、径方向に長軸を有する平面略楕円状に形成された複数のスリット４０、４０・・・が周方向に沿って等しい間隔で穿設されている。また、外周部４１には、径方向に長軸を有する平面略細長楕円状に形成された複数のスリット４２、４２・・・が周方向に沿って等しい間隔で穿設されている。
図４に示すように、本実施の形態に係るドラム１２は、ドラム本体板部２８が一対のガイド板部２０ａ、２０ｂによって挟持され、ドラム本体板部２８に設けられたネジスペーサー３５、３５・・・と、一対のガイド板部２０ａ、２０ｂに設けられたネジ孔３８、３８・・・との位置を合わせて、ネジ４３、４３・・・によって螺合されることによって組み立てられる。
【００２７】
また、図３及び図４に示すように、本実施の形態に係る巻尺テープ１１は、合成樹脂製であって、略帯状の長尺の物差しであり、表面４４に目盛（図示せず）が付されている。
また、図３及び図４に示すように、本実施の形態に係る巻尺テープ１１は、基端部４５がドラム１２のテープ固定部５６に掛け回されて基端部収納部９１に収納固定され、ドラム１２のテープ巻装部２６に巻装され、先端部（図示せず）がフレーム１３の外方に引き出されるように構成されている。
【００２８】
図２に示すように、本実施の形態に係るフレーム１３を構成する一対の板状部材２５ａ、２５ｂの隅部４６、４６、４７、４７、及び、把持部１６の側端部４８、４８の計６箇所には、円筒状に穿設された接合孔部４９、４９・・・が、夫々、設けられている。
図２に示すように、本実施の形態に係る一対の板状部材２５ａ、２５ｂは、巻尺テープ１１の幅寸法Ｌ３と略同一の高さ寸法Ｌ４を有する略円筒状の接合部材５０、５０・・・が、一方の板状部材２５ａの接合孔部４９、４９・・・と他方の板状部材２５ｂの接合孔部４９、４９・・・との間に係合されることにより、接合部材５０、５０・・・を介して接合されている。
また、図２に示すように、一対の板状部材２５ａ、２５ｂには、被覆部材２３、２３を取り付けうる取付突起５１、５１・・・が設けられている。
また、図２に示すように、一対の板状部材２５ａ、２５ｂの底辺部５２、５２には、ゴム製であって、底辺部５２、５２側の隅部４７、４７間に亘って底辺部５２、５２を被覆しうる保護カバー５３、５３が、夫々、着脱可能に設けられている。
【００２９】
また、図２及び図７に示すように、一方の板状部材２５ａには、平面略中央部において、厚さ方向に貫通する挿通口５５が設けられ、挿通口５５から底辺部５２方向に連設して、厚さ方向において貫通した一方側貫通口５９が形成されている。図７に示すように、一方側貫通口５９の上端部には、一方側貫通口５９を被覆しうる蓋部材８９が開閉可能に設けられている。
また、図２及び図６に示すように、一方の板状部材２５ａの底辺部５２には、円柱状に形成された柱状部材６０、６０・・・が所定の間隔をおいて４箇所設けられている。
また、図２及び図６に示すように、他方の板状部材２５ｂには、平面略中央部において、厚さ方向に貫通する挿通口６１が設けられ、挿通口６１の周縁部には、リング部材９２が設けられ、ネジ９３で固定されている。
【００３０】
図１、図２及び図６に示すように、本実施の形態に係る巻取ハンドル部１４は、平面略円形状に形成され、他方の板状部材２５ｂの挿通口６１にゴム製のＯリング７９を介して取り付けられるハンドル基部６２と、平面略円形状に形成され、一方の板状部材２５ａの挿通口５５にゴム製のＯリング８７を介して取り付けられるハンドル固定部８６と、ハンドル基部６２にヒンジ部６３を介して取り付けられ、フレーム１３の外方に向かって設けられたハンドル軸部６４と、ハンドル軸部６４の先端部６５に取り付けられたツマミ６６と、ハンドル軸部６４及びツマミ６６をフレームの厚さ方向に収納しうるハンドル収納部６７と、により構成されている。
【００３１】
図１、図２及び図５に示すように、本実施の形態に係るハンドル基部６２の底面部８３には、ドラム本体板部２８に設けられた軸支持部３２に回転可能に係合しうる軸部８５と、軸部８５に隣接して設けられ、ハンドル固定孔部３０と係合するように平面長方形状に形成されたドラム固定部８４とが設けられている。
また、図２に示すように、ハンドル固定部８６には、所定の間隔をおいて同心に連設された略短円筒形の軸受部５７、５８がフレーム１３の厚さ方向内方に向かって膨出して設けられている。
【００３２】
また、図１、図２及び図６に示すように、ハンドル軸部６４は細長板状に形成され、基端部６８に設けられたヒンジ部６３によりフレーム１３の厚さ方向に回動しうるように取り付けられている。また、図１、図２及び図６に示すように、ツマミ６６は、全体略円柱形状に形成され、ハンドル軸部６４の先端部６５からフレーム１３の外方に向かって設けられている。
【００３３】
また、図１及び図２に示すように、ハンドル収納部６７は、ハンドル基部６２に凹設され、ハンドル軸部６４と係合するハンドル係合凹部６９と、ハンドル基部６２に凹設され、ツマミ６６と係合するツマミ係合凹部７０とにより構成されている。
図１、図２及び図６に示すように、ハンドル収納部６７は、ハンドル軸部６４をヒンジ部６３を介して折りたたんだ場合に、ハンドル軸部６４及びツマミ６６がハンドル係合凹部６９及びツマミ係合凹部７０と夫々係合し、ハンドル基部６２と厚さ方向における同一面内に収納しうるように構成されている。
【００３４】
図１、図２及び図６に示すように、本実施の形態に係る把持部１６は、一方の板状部材２５ａに設けられた一方の把持部１６ａと、他方の板状部材２５ｂに設けられた他方の把持部１６ｂとが厚さ方向において接合されることによって構成されている。
図１、図２及び図６に示すように、本実施の形態に係る把持部１６は、輪郭形状が平面略長方形状に形成され、手で把持しうる把持部本体７１と、手を挿入しうる挿入空間部７２とにより構成されている。
また、図１、図２及び図６に示すように、把持部本体７１には、外周面に沿って巻回され、把持した際にグリップとして機能しうる巻回ゴム７３が設けられている。
【００３５】
図２に示すように、本実施の形態に係る被覆部材２３は、一対の被覆片２３ａ、２３ｂから構成され、一対の被覆片２３ａ及び２３ｂがネジ７４で螺合されている。また、図１、図２及び図６に示すように、被覆部材２３の両端部には、フレーム取付部７５、７５が、夫々、設けられている。
また、図１、図２及び図６に示すように、本実施の形態に係る被覆部材２３には、周方向に長軸を有する平面略細長楕円状に形成された複数のスリット７６、７６・・・が周方向に沿って等しい間隔で設けられている。
また、図２及び図６に示すように、底辺部５２側の隅部４７に設けられた接合孔部４９に係合される接合部材５０の外周には、円筒状の引出ガイド部材８０が装着されている。また、接合孔部４９に隣接するピン挿入孔部８１には細長円柱状のガイドピン８２が係合固定され、ガイドピン８２と引出ガイド部材８０との間には、巻尺テープ１１をフレーム１３外方へ引き出しうるテープ引出部７７が設けられている。
【００３６】
以上の構成を有する本実施の形態に係る巻尺１０を作製する場合には、図５に示すように、巻取ハンドル部１４に設けられた軸部８５及びドラム固定部８４、８４を、ドラム１２に設けられた軸支持部３２及びハンドル固定孔部３０に、夫々、係合させ、さらに、軸部８５をハンドル固定部８６に設けられた軸受部５７に係合させ、図７に示すように、ネジ８８を螺合させることによって、巻取ハンドル部１４がドラム１２と一体となって回転しうるように固定される。
【００３７】
さらに、図２に示すように、被覆部材２３のフレーム取付部７５、７５・・・を、一対の板状部材２５ａ、２５ｂに設けられた取付突起５１、５１・・・に係合させると共に、接合部材５０、５０・・・を、フレーム１３を構成する一対の板状部材２５ａ、２５ｂの接合孔部４９、４９・・・間に係合させる。
この際、ドラム１２に固定されたハンドル基部６２及びハンドル固定部８６を、Ｏリング７９、８７を介して、一対の板状部材２５ａ、２５ｂに設けられた挿通口５５、６１に係合させることで、ドラム１２は、一対の板状部材２５ａ、２５ｂに設けられた挿通口５５、６１によって、夫々、回転可能に挟持される。
さらに、ネジ７８、７８・・・を接合孔部４９、４９・・・に螺合させることによって、一対の板状部材２５ａ、２５ｂを互いに固定させることで、本実施の形態に係る巻尺１０の組み立てが完了する。
【００３８】
以下、本実施の形態に係る巻尺１０の作用について説明する。
図１及び図６に示すように、本実施の形態に係る巻尺１０は、ハンドル収納部６７に収納された巻取ハンドル１４をヒンジ部６３を介して引き起こした後、巻取ハンドル１４によりドラム１２を回転させ、テープ引出部７７から巻尺テープ１１を引き出して使用する。
また、図１及び図６に示すように、巻尺テープ１１を収納する場合は、巻取ハンドル１４によりドラム１２を使用時と逆方向に回転させ、ドラム１２に巻尺テープ１１を巻装する。また、巻取ハンドル１４をヒンジ部６３を介してハンドル収納部６７に収納する。
以上のように、本実施の形態に係る巻尺１０を使用する際には、巻尺テープ１１がガイド部１９によって挟持され、ドラム１２を回転させた場合には、巻尺テープ１１がガイド部１９と一体となって回転するので、巻尺テープ１１の引き出し及び巻き取りのためにドラム１２を回転させた場合であっても、巻尺テープ１１とフレーム１３との間に摩擦が生じることがない。
従って、図８に示すように、巻尺テープ１０１の幅方向両端部に当接して配設され、巻尺テープ１０１と正面と裏面のフレーム１０３、１０３との間に引き出し時、収納時において常時摩擦が生じるように構成されていた従来の巻尺１００に比して、巻尺テープのスムーズな引き出し及び巻き取りが可能な巻尺を提供することができる。
【００３９】
特に、図４に示すように、本実施の形態に係る巻尺１０にあっては、ドラム１２に巻装された巻尺テープ１１は、巻尺テープ１１の幅寸法Ｌ３と略同一の間隔をおいて配置された一対のガイド板部２０ａ、２０ｂの径方向内方へ収納されるように構成されている。
従って、巻尺テープ１１をドラム１２に巻き取る際には、ガイド部１９によって巻尺テープ１１がガイドされるので、巻尺テープが巻き乱れるといった事態を防止することができる。
【００４０】
また、図１、図２及び図６に示すように、本実施の形態に係る巻尺１０にあっては、一対のガイド板部２０ａ、２０ｂの間の空隙部２２は、被覆部材２３によって周方向に沿って閉塞されるので、巻尺テープ１１がガイド部１９から周方向外方へほどき出てしまうといった事態を効率よく防止することができる。
従って、図８に示すように、ドラム１０２に巻装された巻尺テープ１０１が露出している従来の巻尺１００にあっては、巻尺テープ１０１をほどき出す際にドラム１０２が惰性で回転することによって、巻尺テープ１０１が勝手にほどき出てしまい、その結果、巻尺テープ１０１を巻き取る際に巻尺テープ１０１がからまって煩わしさに耐えないという不具合があったのに対し、本実施の形態に係る巻尺１０にあっては、前記不具合を解消することができる。
さらに、図２及び図６に示すように、本実施の形態に係る巻尺１０にあっては、一方の板状部材２５ａの底辺部５２、５２には、柱状部材６０、６０・・・が設けられているので、巻尺テープ１１がフレーム１３の底辺部５２からほどき出てしまうといった事態を防止することができる。
【００４１】
また、図８に示すように、従来の巻尺１００にあっては、フレーム１０３、１０３が、フレーム同士を接合した際に巻尺テープ１０１の幅寸法Ｌ０に適合するように作られていた。しかし、幅寸法の異なる数種類の巻尺テープが存在するため、巻尺テープごとに別のフレームを用意する必要があり、開発及び製作のコストがかさむという不具合があった。
それに対して、図２に示すように、本実施の形態に係る巻尺１０にあっては、巻尺テープ１１の幅寸法Ｌ３に対応した高さ寸法Ｌ４を有する接合部材５０によってフレーム間の間隔寸法を規定することで、幅寸法の異なる巻尺テープを使用する場合は、高さ寸法の異なる接合部材を用意すれば良い。
従って、設計変更や金型の変更が必要なく、開発及び製作のコストを抑えることができる。
【００４２】
また、図８に示すように、従来の巻尺１００にあっては、引き出し及び巻き取り作業のスピードアップのため、ハンドル１０４にギヤ機構１０５を備えていた。しかし、経験上５０ｍ以上の長い巻尺になると、巻装された巻尺テープ１０１とフレーム１０３との摩擦が大きくなるため、巻き取りが重くなり、作業性が悪くなるという不具合があった。
それに対して、図２に示すように、本実施の形態に係る巻尺１０にあっては、ギヤ機構を採用していないため、ギヤ機構が破損する心配がなくなり、構造上丈夫であり、部品交換のリスクを低減させることができる。
また、図１及び図４に示すように、本実施の形態に係る巻尺１０にあっては、ガイド部１９によって巻尺テープ１１とフレーム１３との間に摩擦が生じることがないため、巻尺テープ１１の巻き取りはスムーズに行うことができる。
さらに、本実施の形態に係る巻尺１０にあっては、巻尺テープ１１が巻装されるドラム１２として、従来のドラム１０２より大きい径寸法のものを採用しているため、ドラム１２の一回転で巻装される巻尺テープ１１の長さも従来に比して長くなり、従来のギヤ機構を備えた巻尺１００とほぼ同じ巻き取りスピードを達成している。
その結果、本実施の形態に係る巻尺１０にあっては、従来の巻尺１００に比して、極めて軽快に巻尺テープ１１を巻き取ることができる。また、ドラム１２の径寸法が大きいために、巻尺テープ１１に巻き癖がつきにくいという効果も奏する。
【００４３】
また、本実施の形態に係る巻尺１０にあっては、ギヤ機構を採用していないため、巻尺テープ１１の巻き取りに必要な力は従来の巻尺１００に比べて少ないものとなる。従って、図１、図２及び図６に示すように、従来の巻尺１００に比べて短く、人の手で巻き取るのに必要最低限の長さを有する巻取ハンドル１４を採用している。
その結果、巻取ハンドル１４をハンドル収納部６７に収納することができるので、幅方向においてコンパクトな巻尺１０を提供することができる。
【００４４】
また、図７に示すように、本実施の形態に係る巻尺１０にあっては、ドラム１２のテープ固定部５６に対応して、ドラム本体板部２８には貫通口９０が設けられると共に、フレーム１３の一方側板状部材２５ａには貫通口９０一方側貫通口５９が設けられているため、巻尺テープ１１をドラム１２から全て引き出した際には、巻尺テープ１１の基端部４５を一方側貫通口５９及びを介してテープ固定部５６から取り外すことができる。
その結果、巻尺テープ１１を別の巻尺テープと交換することが可能となる。
【００４５】
本実施の形態に係るガイド部１９、１９は、巻尺テープ１１の巻径寸法Ｌ１よりも大きい径寸法Ｌ２を有する略円盤状に形成された一対のガイド板部２０ａ、２０ｂを有し、ドラム１２に巻装された巻尺テープ１１を径方向内方へ収納しうるように形成されている場合を例に説明したが、前記構成に限定されない。
また、本実施の形態に係る一対のガイド板部２０ａ、２０ｂは、巻尺テープ１１の幅寸法Ｌ３と略同一の間隔をおいて配置され、巻尺テープ１１を幅方向に沿って挟持しうるように構成されている場合を例に説明したが、前記構成に限定されない。
【００４６】
また、本実施の形態に係る一対のガイド板部２０ａ、２０ｂの周縁部２１には、一対のガイド板部２０ａ、２０ｂの間の空隙部２２を被覆しうる被覆部材２３、２３が設けられ、特に、被覆部材２３、２３は側方略円弧状に形成されると共に、一対のガイド板部２０ａ、２０ｂの間の空隙部２２を周方向に沿って閉塞しうるように構成されている場合を例に説明したが、前記構成に限定されない。
また、本実施の形態に係るフレーム１３は、側面略方形状に形成され、ドラム１２を軸方向両端部２４、２４において支持すると共に、ガイド部１９の幅方向外方に配設される一対の板状部材２５ａ、２５ｂから構成されている場合を例に説明したが、前記構成に限定されない。
【産業上の利用可能性】
【００４７】
本発明は、巻尺に広く適用可能であり、産業上利用可能性を有している。
【符号の説明】
【００４８】
１０：巻尺
１１：巻尺テープ
１２：ドラム
１３：フレーム
１４：巻取ハンドル部
１５：上辺部
１６：把持部
１７：ドラムの幅方向両端部
１８：巻尺テープの幅方向両端部
１９：ガイド部
２０ａ、２０ｂ：ガイド板部
２１：周縁部
２２：空隙部
２３：被覆部材
２４：軸方向両端部
２５ａ、２５ｂ：板状部材
２６：テープ巻装部
２７：幅方向一端部
２８：ドラム本体板部
２９：ドラム本体板部の中央部
３０：ハンドル固定孔部
３１：リブ部
３２：軸受部
３３：両端部
３４：補強リブ
３５：ネジスペーサー
３７：挿通口
３８：ネジ孔
３９：内周部
４０：複数のスリット
４１：外周部
４２：複数のスリット
４３：ネジ
４４：巻尺テープの表面
４５：巻尺テープの基端部
４６：隅部
４７：隅部
４８：側端部
４９：接合孔部
５０：接合部材
５１：取付突起
５２：板状部材の底辺部
５３：保護カバー
５４：板状部材の中央部
５５：挿通口
５６：テープ固定部
５７：軸受部
５８：軸受部
５９：一方側貫通口
６０：柱状部材
６１：挿通口
６２：ハンドル基部
６３：ヒンジ部
６４：ハンドル軸部
６５：ハンドル軸部の先端部
６６：ツマミ
６７：ハンドル収納部
６８：ハンドル軸部の基端部
６９：ハンドル係合凹部
７０：ツマミ係合凹部
７１：把持部本体
７２：挿入空間部
７３：巻回ゴム
７４：ネジ
７５：フレーム取付部
７６：複数のスリット
７７：テープ引出部
７８：ネジ
７９：Ｏリング
８０：引出ガイド部材
８１：ピン挿入孔部
８２：ガイドピン
８３：底面部
８４：ドラム固定部
８５：軸部
８６：ハンドル固定部
８７：Ｏリング
８８：ネジ
８９：蓋部材
９０：貫通口
９１：基端部収納部
９２：リング部材
９３：ネジ
１００：巻尺
１０１：巻尺テープ
１０２：ドラム
１０３：フレーム
１０４：ハンドル
１０５：ギヤ機構
Ｌ０：巻尺テープの幅寸法
Ｌ１：巻尺テープの巻径寸法
Ｌ２：ガイド部の径寸法
Ｌ３：巻尺テープの幅寸法
Ｌ４：接合部材の高さ寸法
【図１】
0006309906.tif 000002
【図２】
0006309906.tif 000003
【図３】
0006309906.tif 000004
【図４】
0006309906.tif 000005
【図５】
0006309906.tif 000006
【図６】
0006309906.tif 000007
【図７】
0006309906.tif 000008
【図８】
0006309906.tif 000009